(57)【特許請求の範囲】
【請求項１】
複数の各選択信号を複数の各走査線に伝達する走査駆動部と、
複数の各データ信号を複数の各データ線に伝達するデータ駆動部と、
前記走査駆動部およびデータ駆動部の動作を制御する信号制御部と、を具備し、
前記走査駆動部およびデータ駆動部は各々リセット信号に応じて起動され、前記信号制御部は前記リセット信号を感知し、前記走査駆動部およびデータ駆動部各々に電源が印加されるオン時点に同期して感知されたリセット信号を利用して前記リセット信号の正常か否かを判断し、前記リセット信号が非正常である場合に前記リセット信号を復旧し、
前記リセット信号は、表示装置のターンオンにより生成されて起動信号として機能し、
前記非正常である場合は、前記リセット信号が第１レベルから第２レベルになる時点と、前記オン時点とが、同一であるため前記走査駆動部および前記データ駆動部が認識できない場合を含む
ことを特徴とする表示装置。
【請求項２】
前記走査駆動部および前記データ駆動部は、
前記オン時点より後に、に、前記リセット信号が前記第１レベルから前記第２レベルに変更されると、起動する
ことを特徴とする請求項１に記載の表示装置。
【請求項３】
前記信号制御部は、
前記感知されたリセット信号が前記オン時点に第１レベルであって、前記オン時点より後にレベル変化がなければ、前記リセット信号を正常でないと判断し、前記オン時点から所定期間後に前記リセット信号を第２レベルに変化させて、前記リセット信号を復旧する
ことを特徴とする請求項２に記載の表示装置。
【請求項４】
前記信号制御部は、
前記感知されたリセット信号が前記オン時点に第２レベルであれば前記リセット信号を非正常と判断し、前記オン時点から所定期間後に前記リセット信号を第１レベルに変化させた後、再び第２レベルに変化させて、前記リセット信号を復旧する
ことを特徴とする請求項２に記載の表示装置。
【請求項５】
前記信号制御部は、
前記感知されたリセット信号が前記オン時点において前記第１レベルから第２レベルに変化すると、前記リセット信号を非正常であると判断し、前記オン時点から所定期間後に前記リセット信号を第１レベルに変化させた後に、再び第２レベルに変化させ、前記リセット信号を復旧する
ことを特徴とする請求項２に記載の表示装置。
【請求項６】
前記第１レベルはローレベルであり、前記第２レベルはハイレベルである
ことを特徴とする、請求項２ないし請求項５のうちいずれか１項に記載の表示装置。
【請求項７】
行列に配列されており、スイッチングトランジスタと駆動トランジスタを各々含む複数の画素と、
前記駆動トランジスタに駆動電圧を伝達する駆動電圧線と、
前記駆動電圧線に駆動電圧を印加する電圧生成部と、
階調電圧を生成する階調電圧生成部と、をさらに具備し、
前記データ駆動部は、
前記階調電圧に基づいて、入力映像信号をデータ電圧に変換させて前記データ線に印加する
ことを特徴とする請求項１に記載の表示装置。
【請求項８】
前記複数の各画素は、
前記駆動トランジスタの制御端子および入力端子に接続されているキャパシタをさらに具備し、
前記スイッチングトランジスタの制御端子には前記選択信号が入力され、前記スイッチングトランジスタの出力端子は前記駆動トランジスタの制御端子に接続され、前記スイッチングトランジスタの入力端子は前記データ線に接続されていて、前記駆動トランジスタの出力端子には発光素子が接続されている
ことを特徴とする請求項７に記載の表示装置。
【請求項９】
前記発光素子は有機発光素子である
ことを特徴とする請求項８に記載の表示装置。
【請求項１０】
電源印加後、リセット信号に応じて起動される駆動部を具備する表示装置の駆動方法において、
前記リセット信号を感知する段階と、
前記電源印加時点に同期して感知されたリセット信号を用いて前記リセット信号の正常か否かを判断する段階と、
前記リセット信号が非正常である場合、前記リセット信号を復旧する段階と、を具備し、
前記リセット信号は、表示装置のターンオンにより生成されて起動信号として機能し、
前記各段階は、信号制御部が遂行し、
前記非正常である場合は、前記リセット信号が第１レベルから第２レベルになる時点と、電源印加時点とが、同一であるため走査駆動部およびデータ駆動部が認識できない場合を含む
ことを特徴とする表示装置の駆動方法。
【請求項１１】
前記リセット信号の正常か否かを判断する段階は、
前記電源印加後、前記感知されたリセット信号が前記第１レベルから前記第２レベルに変更すると、前記リセット信号を正常として判断する段階を含む
ことを特徴とする請求項１０に記載の表示装置の駆動方法。
【請求項１２】
前記リセット信号の正常か否かを判断する段階は、
前記感知されたリセット信号が前記電源印加時点で第１レベルであって、前記電源印加時点より後にレベル変化がなければ、前記リセット信号を非正常であると判断する段階を含み、
前記リセット信号を復旧する段階は、
前記電源印加時点から所定期間後に、前記リセット信号を第２レベルに変更させる段階を具備する
ことを特徴とする請求項１１に記載の表示装置の駆動方法。
【請求項１３】
前記リセット信号の正常か否かを判断する段階は、
前記感知されたリセット信号が前記電源印加時点で第２レベルであれば、前記リセット信号を非正常であると判断する段階を具備し、
前記リセット信号を復旧する段階は、
前記電源印加時点から所定期間後に前記リセット信号を第１レベルに変化させた後、再び前記第２レベルに変化させる段階を具備する
ことを特徴とする請求項１１に記載の表示装置の駆動方法。
【請求項１４】
前記リセット信号の正常か否かを判断する段階は、
前記感知されたリセット信号が前記電源印加時点で前記第１レベルから前記第２レベルに変化すれば、前記リセット信号を非正常であると判断する段階を具備し、
前記リセット信号を復旧する段階は、
前記電源印加時点から所定期間後に前記リセット信号を第１レベルに変化させた後、再び前記第２レベルに変化させる段階を含む
ことを特徴とする請求項１１に記載の表示装置の駆動方法。
【発明の詳細な説明】
【技術分野】
【０００１】
本発明は表示装置およびその駆動方法に関する。
【背景技術】
【０００２】
表示装置がターンオンされて、動作を開始すると、表示装置の動作を制御する駆動部（ｄｒｉｖｅｒ）にリセット信号が入力される。表示装置が動作するために、リセット信号は駆動部を動作させる起動信号である。
【０００３】
リセット信号は表示装置に電源が供給された後、所定の波形が印加される。駆動部は所定の波形を有するリセット信号を感知すると、動作を開始する。このとき、リセット信号が設定された所定の波形でなかったり、リセット信号に所定の波形を印加される時点で駆動部がリセット信号を認識できなかったりする場合もありうる。そして、駆動部が正常に起動されずに異常現象が生じることもある。具体的には、表示装置の異常現象として、駆動部の初期動作時に駆動電圧異常と、駆動部を制御するための駆動命令異常現象とが生じる。駆動電圧異常および駆動命令異常現象として、映像の異常低輝度または異常高輝度、映像の階調乱れおよび映像の色異常などの問題が生じる。
【発明の開示】
【発明が解決しようとする課題】
【０００４】
このような問題を解決するために、本発明の目的は、リセット信号の異常を感知して、正常なリセット信号を再び生成して、駆動部を動作させる表示装置およびその駆動方法を提供することである。
【０００５】
また、他の目的は、リセット信号の異常による映像の異常低輝度または異常高輝度、映像の階調乱れおよび映像の色異常の問題を防止する表示装置およびその駆動方法を提供することである。
【課題を解決するための手段】
【０００６】
本発明の一つの特徴による表示装置は、複数の各選択信号を複数の各走査線に伝達する走査駆動部と、複数の各データ信号を複数の各データ線に伝達するデータ駆動部と、前記走査駆動部およびデータ駆動部の動作を制御する信号制御部と、を含み、前記走査駆動部およびデータ駆動部は各々リセット信号に応じて起動され、前記信号制御部は前記リセット信号を感知し、前記走査駆動部およびデータ駆動部各々に電源が印加されるオン時点に同期して感知されたリセット信号を用いて前記リセット信号の正常か否かを判断し、前記リセット信号が非正常である場合に前記リセット信号を復旧する。
【０００７】
前記走査駆動部および前記データ駆動部は、前記オン時点以降に、前記リセット信号が第１レベルから第２レベルに変更されると起動する。
【０００８】
前記信号制御部は、前記感知されたリセット信号が前記オン時点に第１レベルであって、前記オン時点以降にレベルの変化がなければ、前記リセット信号を正常でないと判断し、前記オン時点から所定期間後に、前記リセット信号を第２レベルに変化させて前記リセット信号を復旧する。
【０００９】
そして、前記信号制御部は、前記感知されたリセット信号が前記オン時点に第２レベルであれば、前記リセット信号を非正常であると判断し、前記オン時点から所定期間後に、前記リセット信号を第１レベルに変化させた後、再び第２レベルに変化させて、前記リセット信号を復旧する。
【００１０】
また、前記信号制御部は、前記感知されたリセット信号が前記オン時点に前記第１レベルから第２レベルに変化すると、前記リセット信号を非正常であると判断し、前記オン時点から所定期間後に、前記リセット信号を第１レベルに変化させた後、再び第２レベルに変化させて前記リセット信号を復旧する。
【００１１】
前記第１レベルはローレベルであり、前記第２レベルはハイレベルである。
【００１２】
本発明の特徴による表示装置は、行列に配列されており、スイッチングトランジスタと駆動トランジスタを各々含む複数の画素と、前記駆動トランジスタに駆動電圧を伝達する駆動電圧線と、前記駆動電圧線に駆動電圧を印加する電圧生成部と、階調電圧を生成する階調電圧生成部と、をさらに具備し、前記データ駆動部は、前記階調電圧に基づいて、入力映像信号をデータ電圧に変換させて前記データ線に印加する。
【００１３】
前記複数の各画素は、前記駆動トランジスタの出力端子および入力端子に接続されているキャパシタをさらに具備し、前記スイッチングトランジスタの制御端子には前記選択信号が入力され、前記スイッチングトランジスタの出力端子は前記駆動トランジスタの制御端子に接続され、前記スイッチングトランジスタの入力端子は前記データ線に接続されており、前記駆動トランジスタの出力端子には発光素子が接続されている。
【００１４】
前記発光素子は有機発光素子である。
【００１５】
本発明の他の特徴による表示装置の駆動方法において、表示装置は電源印加後にリセット信号によって起動される駆動部を含み、表示装置の駆動方法は、前記リセット信号を感知する段階と、前記電源印加時点に同期されて感知されたリセット信号を用いて正常か否かを判断する段階と、前記感知されたリセット信号が正常でない場合、前記リセット信号を復旧する段階と、を具備する。前記リセット信号の正常か否かを判断する段階は、前記電源印加後に前記感知されたリセット信号が第１レベルから第２レベルに変更されると、前記リセット信号を正常として判断する段階を具備する。
【００１６】
前記リセット信号の正常か否かを判断する段階は、前記感知されたリセット信号が前記電源印加時点に第１レベルであって、前記電源の印加時点以降にレベルの変化がなければ、前記リセット信号を正常でないと判断する段階を具備し、前記リセット信号を復旧する段階は、前記電源印加時点から所定期間後に、前記リセット信号を第２レベルに変化させる段階を具備する。そして、前記リセット信号の正常か否かを判断する段階は、前記感知されたリセット信号が前記電源印加時点に第２レベルであれば、前記リセット信号を非正常であると判断する段階を具備し、前記リセット信号を復旧する段階は、前記電源印加時点から所定期間後に、前記リセット信号を第１レベルに変化させた後、再び前記第２レベルに変化させる段階を具備する。また、前記リセット信号の正常か否かを判断する段階は、前記感知されたリセット信号が前記電源の印加時点に前記第１レベルから前記第２レベルに変化されると、前記リセット信号を非正常であると判断する段階を具備し、前記リセット信号を復旧する段階は、前記電源の印加時点から所定期間後に、前記リセット信号を第１レベルに変化させた後、再び前記第２レベルに変化させる段階を具備する。
【発明の効果】
【００１７】
本発明により、リセット信号の異常を感知して正常なリセット信号を再び生成して、駆動部を動作させることができる。
【００１８】
それにより、リセット信号の異常による映像の異常低輝度または異常高輝度、映像の階調乱れおよび映像の色異常問題を防止することができる。
【発明を実施するための最良の形態】
【００１９】
以下、添付図を参照して、本発明の実施形態について当業者が容易に実施できるように詳しく記載する。しかし、本発明は多様な形態に具現でき、ここで記載する実施形態に限定されない。そして、図面において本発明を明確に記載するために説明上不要な部分は省略し、明細書全体にわたって同一の部分については同一の参照符号を付けた。
【００２０】
明細書全体において、ある部分が他の部分と「接続」されているというとき、これは「直接的に接続」されている場合だけでなく、その間に他の素子をおいて「電気的に接続」されている場合も含んでいる。また、ある部分が他の構成要素を「具備する」とするとするとき、これは特に逆となる記載がない限り、他の構成要素を除くのではなく他の構成要素をさらに具備することもありうることを意味する。
【００２１】
まず、図１および図２を参照して、本発明の第１実施形態による有機発光表示装置について説明する。
【００２２】
図１は本発明の第１実施形態による有機発光表示装置のブロック図であり、図２は本発明の第１実施形態による有機発光表示装置である画素の等価回路図である。
【００２３】
図１に示したように、本発明の第１実施形態による有機発光表示装置は、表示板（ｄｉｓｐｌａｙ  ｐａｎｅｌ）１００と、走査駆動部（ｓｃａｎｎｉｎｇ  ｄｒｉｖｅｒ）２００と、データ駆動部（ｄａｔａ  ｄｒｉｖｅｒ）３００と、階調電圧生成部（ｇｒａｙ  ｖｏｌｔａｇｅ  ｇｅｎｅｒａｔｏｒ）５００と、電圧生成部（ｖｏｌｔａｇｅ  ｇｅｎｅｒａｔｏｒ）６００と、信号制御部（ｓｉｇｎａｌ  ｃｏｎｔｒｏｌｌｅｒ）４００と、を具備している。
【００２４】
前記表示板３００は駆動電圧線（ＶＬ）、複数の走査信号線（Ｓ１-Ｓｎ）、複数のデータ線（Ｄ１-Ｄｍ）、そしてこれらに接続されていて概観して行列（ｍａｔｒｉｘ）状に配列された複数の画素（ＰＸ）を具備している。
【００２５】
前記複数の走査信号線（Ｓ１-Ｓｎ）を通して複数の各走査信号が伝えられ、データ線（Ｄ１-Ｄｍ）を通して複数の各データ信号が伝えられる。走査信号線（Ｓ１-Ｓｎ）はほぼ行方向に延びていて互いにほぼ平行であり、データ線（Ｄ１-Ｄｍ）は略列方向に延びていて互いにほぼ平行である。
【００２６】
前記駆動電圧線（ＶＬ）は駆動電圧（Ｖｄｄ）を伝達し、幹線（ＶＬｍ）と、これから分岐された複数の枝線（ＶＬｂ）と、を含む。幹線（ＶＬｍ）は略行方向に延びていて、枝線（ＶＬｂ）は略列方向に延びている。しかし、幹線（ＶＬｍ）が列方向に、枝線（ＶＬｂ）が行方向に延びることもでき、それ以外にも多様な形態に具現することができる。
【００２７】
図２に示したように、各画素（ＰＸ）、例えば、ｉ番目の走査信号線（Ｓｉ）とｊ番目のデータ線（Ｄｊ）に接続されている画素（ＰＸ）は、有機発光素子（ＯＬＥＤ）、駆動トランジスタ（Ｍ１）、ストレージキャパシタ（Ｃ１）およびスイッチングトランジスタ（Ｍ２）を具備している。
【００２８】
前記スイッチングトランジスタ（Ｍ２）は、制御端子（ｃｏｎｔｒｏｌ  ｔｅｒｍｉｎａｌ）、入力端子（ｉｎｐｕｔ  ｔｅｒｍｉｎａｌ）および出力端子（ｏｕｔｐｕｔ  ｔｅｒｍｉｎａｌ）を有するが、制御端子は走査信号線（Ｓｉ）に接続されており、入力端子はデータ線（Ｄｊ）と接続されており、出力端子は駆動トランジスタ（Ｍ１）と接続されている。スイッチングトランジスタ（Ｍ２）は、走査信号線（Ｓｉ）に印加される走査信号に応じてデータ線（Ｄｊ）に印加されるデータ電圧を伝達する。本発明の実施形態による有機発光素子を用いる表示装置のデータ信号は、当該画素（ＰＸ）の階調により他のレベルを有する電圧信号である。しかし、本発明は、これに限定されない。
【００２９】
前記駆動トランジスタ（Ｍ１）も、制御端子、入力端子および出力端子を有するが、制御端子はスイッチングトランジスタ（Ｍ２）と接続されており、入力端子は駆動電圧線（ＶＬ）の枝線（ＶＬｂ）と接続されており、入力端子を通して駆動電圧（ＶＤＤ）が印加される。出力端子は有機発光素子（ＯＬＥＤ）と接続されている。駆動トランジスタ（Ｍ１）は制御端子と入力端子の間にかかる電圧によってその大きさが変わる出力電流（ＩＯＬＥＤ）を流す。
【００３０】
前記ストレージキャパシタ（Ｃ１）は、駆動トランジスタ（Ｍ１）の制御端子と入力端子の間に接続されている。ストレージキャパシタ（Ｃ１）はデータ電圧によって充電され、データ電圧と駆動電圧（ＶＤＤ）の電圧差を一定に維持する。それにより、駆動トランジスタ（Ｍ１）の制御端子と入力端子の電圧差は、スイッチングトランジスタ（Ｍ２）が遮断された後にも一定に維持される。
【００３１】
前記有機発光素子（ＯＬＥＤ）は、有機発光ダイオード（ＯＬＥＤ）として駆動トランジスタ（Ｍ１）の出力端子に接続されているアノード（ａｎｏｄｅ）と、共通電圧（Ｖｃｏｍ）に接続されているカソード（ｃａｔｈｏｄｅ）を有している。アノードは二つの走査信号線（Ｓ１-Ｓｎ）と二つのデータ線（Ｄ１-Ｄｍ）に区切られる領域内にほぼ位置する画素電極（ｐｉｘｅｌ  ｅｌｅｃｔｒｏｄｅ）（図示せず）でもよく、カソードは表示板３００の全面に形成されている共通電極（ｃｏｍｍｏｎ  ｅｌｅｃｔｒｏｄｅ）（図示せず）の一部でもよい。有機発光素子（ＯＬＥＤ）は、駆動トランジスタ（Ｍ１）の出力電流（ＩＯＬＥＤ）に応じて強さを変化させて発光することによって映像を表示する。
【００３２】
前記有機発光素子（ＯＬＥＤ）は、基本色（ｐｒｉｍａｒｙ  ｃｏｌｏｒ）のうちの一つの光を発光したり、基本色と白色のうちの一つの光を発光したりすることができる。基本色の例としては、赤色、緑色、青色の三原色が挙げられ、これら三原色の空間的合計で所望の色を表示する。これとは異なって、全画素（ＰＸ）の有機発光素子（ＯＬＥＤ）が白色の光を発光でき、一部画素（ＰＸ）は有機発光素子（ＯＬＥＤ）から出る白色光を基本色のうちのいずれか一つに変える色フィルター（図示せず）をさらに具備することができる。
【００３３】
前記スイッチングトランジスタ（Ｍ２）および駆動トランジスタ（Ｍ１）は、非晶質シリコンまたは多結晶シリコンで形成されたｐ-チャンネル電界効果トランジスタ（ＦＥＴ）である。しかし、スイッチングトランジスタ（Ｍ２）と駆動トランジスタ（Ｍ１）のうちの少なくとも一つは、ｎ-チャンネル電界効果トランジスタでありうる。また、トランジスタ（Ｍ１，Ｍ２）、キャパシタ（Ｃ１）および有機発光素子（ＯＬＥＤ）の接続関係が変わることもありうる。
【００３４】
再び図１を参照すると、前記階調電圧生成部５００は画素（ＰＸ）の輝度と関連する複数の基準階調電圧を生成する。基準階調電圧の数は全体階調の数より少ない。
【００３５】
前記走査駆動部２００は、表示板１００の走査信号線（Ｓ１-Ｓｎ）に接続されてスイッチングトランジスタ（Ｍ１）を導通できる低電圧（Ｖｏｎ）と遮断できる高電圧（Ｖｏｆｆ）との組み合わせで構成された走査信号を走査信号線（Ｓ１-Ｓｎ）に印加する。
【００３６】
前記データ駆動部３００は、表示板１００のデータ線（Ｄ１-Ｄｍ）に接続されており、階調電圧生成部５００から受信した基準階調電圧を分圧してデータ電圧を生成し、これをデータ線（Ｄ１-Ｄｍ）に印加する。
【００３７】
前記電圧生成部６００は、表示板１００の駆動電圧線（ＶＬ）と接続されており、駆動電圧（Ｖｄｄ）を生成して駆動電圧線（ＶＬ）に印加する。また電圧生成部６００は表示板３００に共通電圧（Ｖｃｏｍ）を印加する。
【００３８】
前記信号制御部４００は、走査駆動部２００、データ駆動部３００および階調電圧生成部５００を制御する。
【００３９】
このような各駆動装置２００，３００，４００，５００，６００は、信号線（Ｓ１-Ｓｎ，Ｄ１-Ｄｍ）および薄膜トランジスタ（Ｍ１，Ｍ２）と共に表示板１００に集積される。これとは異なって、これら駆動装置２００，３００，４００，５００，６００が少なくとも一つの集積回路チップ状に表示板１００上に直接装着されたり、可撓性印刷回路膜（ｆｌｅｘｉｂｌｅ  ｐｒｉｎｔｅｄ  ｃｉｒｃｕｉｔ  ｆｉｌｍ）（図示せず）上に装着されてＴＣＰ（ｔａｐｅ  ｃａｒｒｉｅｒ  ｐａｃｋａｇｅ）状に表示板１００に付着されたり、別途の印刷回路基板（ｐｒｉｎｔｅｄ  ｃｉｒｃｕｉｔ  ｂｏａｒｄ）（図示せず）上に装着されることもありうる。また、駆動装置２００，３００，４００，５００，６００は単一チップで集積でき、この場合、これらの中の少なくとも一つまたはこれらを構成する少なくとも一つの回路素子が単一チップの外側に位置する場合もありうる。
【００４０】
それでは、このような有機発光表示装置の動作について詳細に説明する。
【００４１】
まず、表示装置を導通させると、表示装置は外部電源から電力の供給を受ける。表示装置が携帯電話機に搭載されている場合、外部電源は携帯電話機のバッテリー（ｂａｔｔｅｒｙ）でありうる。つまり、携帯電話機をオンすると、バッテリーの電源が表示装置に印加される。携帯電話機と異なるモニター、ＴＶなどのような表示装置は、電力線を通して入力される電源を駆動装置２００，３００，４００，５００，６００に印加する。このとき、データ駆動部３００および走査駆動部２００は、表示板１００に走査信号とデータ信号を印加する駆動部として電源印加後に起動するためのリセット信号を必要とする。信号制御部４００は表示装置が点灯されると、各データ駆動部２００および走査駆動部３００にリセット信号を印加する。具体的な説明は動作説明と共に後述する。
【００４２】
前記信号制御部４００は、外部のグラフィック制御機（図示せず）から入力映像信号（Ｒ、Ｇ、Ｂ）およびその表示を制御する入力制御信号を受信する。入力映像信号（Ｒ，Ｇ，Ｂ）は各画素（ＰＸ）の輝度（ｌｕｍｉｎａｎｃｅ）情報を含んでおり、輝度は所定の数、例えば、１０２４（=２１０）、２５６（=２８）または６４（=２６）個の階調（ｇｒａｙ）を有している。入力制御信号の例としては、垂直同期信号（Ｖｓｙｎｃ）と水平同期信号（Ｈｓｙｎｃ）、メインクロック信号（ＭＣＬＫ）、データイネーブル信号（ＤＥ）等がある。
【００４３】
前記信号制御部４００は入力映像信号（Ｒ，Ｇ，Ｂ）と入力制御信号に基づいて入力映像信号（Ｒ，Ｇ，Ｂ）を表示板１００の動作条件に合うように適切に処理して出力映像信号（ＤＡＴ）を生成し、走査制御信号（ＣＯＮＴ１）およびデータ制御信号（ＣＯＮＴ２）等を生成する。信号制御部４００は、走査制御信号（ＣＯＮＴ１）をゲート駆動部２００に出力し、データ制御信号（ＣＯＮＴ２）および出力映像信号（ＤＡＴ）をデータ駆動部３００に出力する。また、信号制御部４００は、各走査駆動部２００およびデータ駆動部３００にリセット信号（ＲＴＳ）を伝達し、リセット信号が正常でない場合、これを正常のリセット信号に復旧して再伝送する。
【００４４】
前記走査制御信号（ＣＯＮＴ１）は、低電圧（Ｖｏｎ）の走査開始を指示する走査開始信号（ＳＴＶ）と、低電圧（Ｖｏｎ）の出力周期を制御する少なくとも一つのクロック信号と、を含む。また、走査制御信号（ＣＯＮＴ１）は、ゲートオン電圧（Ｖｏｎ）の持続時間を限定する出力イネーブル信号（ＯＥ）をさらに含むことができる。
【００４５】
前記データ制御信号（ＣＯＮＴ２）は、一行の画素（ＰＸ）に対するデジタル映像信号（ＤＡＴ）の伝送開始を知らせる水平同期開始信号（ＳＴＨ）と、データ線（Ｄ１-Ｄｍ）にアナログデータ電圧を印加することを指示するロード信号（ＬＯＡＤ）、およびデータクロック信号（ＨＣＬＫ）を具備している。
【００４６】
前記階調電圧生成部５００は、基準階調電圧を生成して、これをデータ駆動部３００に提供する。
【００４７】
前記データ駆動部３００は、リセット信号（ＲＴＳ）により動作を開始し、データ制御信号（ＣＯＮＴ２）により一行の画素に対する出力映像データ（ＤＡＴ）を受信し、基準階調電圧を分圧して出力映像データ（ＤＡＴ）に対応するアナログデータ電圧を生成した後に、これを当該データ線（Ｄ１-Ｄｍ）に印加する。
【００４８】
前記走査駆動部２００は走査リセット信号（ＲＴＳ）により動作を開始し、信号制御部４００からの走査制御信号（ＣＯＮＴ１）により走査信号線（Ｓ１-Ｓｎ）に印加される走査信号を低電圧（Ｖｏｎ）に変換する。そして、この走査信号線（Ｓ１-Ｓｎ）に接続されたスイッチングトランジスタ（Ｍ２）が導通されてデータ線（Ｄ１-Ｄｍ）に印加されたデータ電圧は、当該画素（ＰＸ）の駆動トランジスタ（Ｍ１）の制御端子に印加される。
【００４９】
前記駆動トランジスタ（Ｍ１）に印加されたデータ電圧は、キャパシタ（Ｃｓｔ）に充電され、スイッチングトランジスタ（Ｍ２）が遮断されても充電された電圧は維持される。データ電圧が印加された駆動トランジスタ（Ｍ１）は導通されて、データ電圧に依存する値を有する出力電流（ＩＯＬＥＤ）を出力する。そして、有機発光素子（ＯＬＥＤ）は、駆動電流（ＩＯＬＥＤ）の大きさにより変動する強さで発光し、それにより当該画素（ＰＸ）は映像を表示する。
【００５０】
１水平周期（または「１Ｈ」）［水平同期信号（Ｈｓｙｎｃ）、データイネーブル信号（ＤＥ）の一周期］が終わると、データ駆動部３００と走査駆動部２００は次行の画素（ＰＸ）に対して同様の動作を繰り返す。このような方式で、１フレーム間のすべての走査信号線（Ｓ１-Ｓｎ）に対して順に走査信号を印加し、すべての画素（ＰＸ）にデータ電圧を印加する。１フレームが終わると、次のフレームが始まって次のフレームでも同じ動作を繰り返す。
【００５１】
以下、図３および４を参照して本発明の実施形態によるリセット信号の復旧について詳しく説明する。
【００５２】
図３はリセット信号に異常がある場合のリセット信号の波形を示した図である。
【００５３】
時点（Ｔ１）で走査駆動部２００およびデータ駆動部３００に電源が印加されると、正常のリセット信号（ＲＴＳ）は電源印加後にローレベル（ＶＬ）からハイレベル（ＶＨ）になる波形を有する。具体的に、電源印加後、リセット信号（ＲＴＳ）のライジングエッジタイミング（ｒｉｓｉｎｇ‐ｅｄｇｅ  ｔｉｍｉｎｇ）が生じ、走査駆動部２００およびデータ駆動部３００がリセット信号のライジングエッジタイミングを認識すれば、動作を開始する。しかし、図３に示された三つのリセット信号（ＲＴＳ１-３）は正常波形を有しない。
【００５４】
まず、リセット信号（ＲＴＳ１）は電源印加時点（Ｔ１）以後にも、ローレベル（ＶＬ）に維持される。そうすると、走査駆動部２００およびデータ駆動部３００が起動しない。
【００５５】
リセット信号（ＲＴＳ２）は継続してハイレベル（ＶＨ）であるため、走査駆動部２００およびデータ駆動部３００がローレベル（ＶＬ）からハイレベル（ＶＨ）になる時点を認識できる。この場合にも、走査駆動部２００およびデータ駆動部３００は起動しない。
【００５６】
前記リセット信号（ＲＴＳ２）は、ローレベル（ＶＬ）からハイレベル（ＶＨ）になる時点が電源印加時点（Ｔ）と同一であるため、走査駆動部２００およびデータ駆動部３００が認識することはできない。
【００５７】
前記信号制御部４００はリセット信号を感知し、走査駆動部２００およびデータ駆動部３００に電源が印加される時点、およびその時点に同期されてリセット信号を感知する。信号制御部４００は、電源印加時点に同期されて所定期間リセット信号を感知し、感知されたリセット信号を用いて、リセット信号の正常の可否を判断する。判断結果、図３に示された波形のように非正常の場合、これを復旧して、走査駆動部２００およびデータ駆動部３００に伝達する。
【００５８】
図４は図３に示された正常でない波形を有するリセット信号（ＲＴＳ１-３）が復旧されたことを示した図である。
【００５９】
まず、リセット信号（ＲＴＳ１）が時点（Ｔ１）以後にも期間（ＴＤ１１）程度のローレベル（ＶＬ）が維持されると、信号制御部４００はリセット信号（ＲＴＳ１）をハイレベル（ＶＨ）に増加させて出力する。
【００６０】
前記信号制御部４００は、リセット信号（ＲＴＳ２）が時点（Ｔ１）にハイレベル（ＶＨ）であり、時点（Ｔ１）以後の所定期間（ＴＤ２１）の間のリセット信号（ＲＴＳ２）を感知する。所定期間（ＴＤ２１）の間にリセット信号（ＲＴＳ２）のレベル変化がなければ、信号制御部４００はリセット信号（ＲＴＳ２）をローレベル（ＶＬ）に減少させた後、所定期間（ＴＤ２２）後にハイレベル（ＶＨ）に増加させる。そうすると、時点（Ｔ１）以後にリセット信号（ＲＴＳ２）はローレベル（ＶＬ）からハイレベル（ＶＨ）になる波形を有することになる。所定期間（ＴＤ２１）および所定期間（ＴＤ２２）は適切に設定でき、リセット信号（ＲＴＳ２）がローレベルからハイレベルに上昇するライジングエッジタイミングが発生すれば良い。
【００６１】
前記信号制御部４００は、リセット信号（ＲＴＳ３）がローレベルからハイレベルになる時点が時点（Ｔ１）に一致すると、所定期間（ＴＤ３１）後にローレベルに減少させた後、所定期間（ＴＤ３２）後にハイレベルに増加させる。そうすると、時点（Ｔ１）以後に、リセット信号（ＲＴＳ３）は、ローレベル（ＶＬ）からハイレベル（ＶＨ）になる波形を有する。所定期間（ＴＤ３１）および所定期間（ＴＤ３２）は適切に設定でき、リセット信号（ＲＴＳ３）がローレベルからハイレベルに上昇するライジングエッジタイミングが発生すれば良い。
【００６２】
このように、前記信号制御部４００がリセット信号を復旧して、走査駆動部およびデータ駆動部に伝達することによって、電源印加後に走査駆動部およびデータ駆動部が正常に起動できる。
【００６３】
以上、本発明の実施形態について詳細に説明したが、本発明の権利範囲はこれに限定されるのではなく、特許請求の範囲で定義している本発明の基本概念を利用した当業者の多様な変形および改良形態も本発明の権利範囲に属する。
【図面の簡単な説明】
【００６４】
【図１】本発明の第１実施形態による有機発光表示装置のブロック図である。
【図２】本発明の第１実施形態における有機発光表示装置内の１画素の等価回路図である。
【図３】リセット信号に異常がある場合、リセット信号の波形を示した図である。
【図４】本発明の第２実施形態による有機発光表示装置における、非正常波形を有するリセット信号が復旧した場合示した図である。
【符号の説明】
【００６５】
１００  表示板
２００  走査駆動部
３００  データ駆動部
４００  信号制御部
５００  階調電圧生成部
６００  電圧生成部
ＶＬ    駆動電圧線
Ｓ１-Ｓｎ  走査信号線
Ｄ１-Ｄｍ  データ線
ＰＸ  画素
Ｖｄｄ  駆動電圧
ＶＬｍ  幹線
ＶＬｂ，ＶＬｍ  枝線
ＯＬＥＤ  有機発光素子
Ｍ１  駆動トランジスタ
Ｃ１  ストレージキャパシタ
Ｍ２  スイッチングトランジスタ
Ｖｓｙｎｃ  垂直同期信号
Ｈｓｙｎｃ  水平同期信号
ＭＣＬＫ  メインクロック信号
ＤＥ  データイネーブル信号
Ｒ，Ｇ，Ｂ  入力映像信号
ＣＯＮＴ１  走査制御信号
ＣＯＮＴ２  データ制御信号
ＤＡＴ  出力映像信号
ＯＥ  出力イネーブル信号
【図１】
0005672468.tif 000002
【図２】
0005672468.tif 000003
【図３】
0005672468.tif 000004
【図４】
0005672468.tif 000005